(57)【要約】【課題】持ち運び時の使用性に優れた集塵装置を提供する。【解決手段】集塵ケース１７と前記集塵ケース１７の底面に取着された集塵ケース蓋（図示せず）とで塵埃を捕集するための集塵室を構成し、集塵室の下流側には、ハンドル２２を回動自在に保持すると共に細塵を捕集するフィルター２０を固定し集塵室を覆う蓋体２１を具備し、蓋体２１は、集塵ケース１７に設けた引掛け部２６と係合すると共に回動自在の爪体２７と、バネ体３０に付勢され移動可能に保持されると共に、移動時に爪体２７の回動を規制するストッパー２９とを具備し、ハンドル２２の回動時にバネ体３０の付勢力に抗してストッパー２９を移動させるリブ体３３をハンドル２２に設けた。【選択図】図４
2011250971.tif 000002
【特許請求の範囲】
【請求項１】
集塵ケースと前記集塵ケースの底面に取着された集塵ケース蓋とで塵埃を捕集するための集塵室を構成し、前記集塵室の下流側には、ハンドルを回動自在に保持すると共に細塵を捕集するフィルターを固定し前記集塵室を覆う蓋体を具備し、前記蓋体は、前記集塵ケースに設けた引掛け部と係合すると共に回動自在の爪体と、バネ体に付勢され移動可能に保持されると共に、移動時に前記爪体の回動を規制するストッパーとを具備し、前記ハンドルの回動時に前記バネ体の付勢力に抗して前記ストッパーを移動させるリブ体を前記ハンドルに構成した集塵装置。
【請求項２】
ハンドルを使用状態の位置まで回動させた状態でストッパーが動作し爪体に接触して、前記爪体の回動を規制する請求項１に記載の集塵装置。
【請求項３】
ハンドルに、電気掃除機の掃除機本体に設けたハンドル係止部に係止する係止部を設けた請求項１又は２に記載の集塵装置。
【請求項４】
電動送風機を収納する電動送風機室を有した掃除機本体を具備し、請求項１〜３のいずれか１項に記載の集塵装置を前記掃除機本体に着脱自在に設けた電気掃除機。
【発明の詳細な説明】
【技術分野】
【０００１】
本発明は電気掃除機本体から着脱可能で持ち運び用のハンドルを有した集塵装置及びそれを用いた電気掃除機に関するものである。
【背景技術】
【０００２】
従来、この種の集塵装置は、塵埃を捕集する集塵ケースと、集塵ケースに着脱可能で塵埃を破棄するための集塵ケース蓋と、細塵を捕集するためのフィルターを保持し集塵ケースを上方より覆う蓋体と、蓋体に設けた持ち運び用のハンドル等から構成されている（例えば、特許文献１参照）。
【先行技術文献】
【特許文献】
【０００３】
【特許文献１】特開２０００−３１７３４９号公報
【発明の概要】
【発明が解決しようとする課題】
【０００４】
しかしながら、前記従来の集塵装置の構成では、掃除機本体より集塵装置を取り外して、集塵ケースに捕集された塵埃を破棄するために、蓋体のハンドルを持ち集塵装置を持ち運ぶことがあるが、持ち運び時に集塵装置を不用意に壁に当てたり、また床面に落としてしまい衝撃が加わった際に、集塵ケースと蓋体との固定部が外れてしまい、集塵ケースに捕集された塵埃が集塵装置より外に出てしまう、という課題があった。
【０００５】
本発明は、前記従来の課題を解決するもので、持ち運び用のハンドルを使用している間は、蓋体と集塵ケースの固定が外れない構成とし、使用者が集塵装置を持ち運ぶ際に、意図しない所で蓋体と集塵ケースとが外れることがない使用性を向上させた集塵装置とその集塵装置を用いた電気掃除機を提供することを目的とする。
【課題を解決するための手段】
【０００６】
前記従来の課題を解決するために、本発明の集塵装置は、集塵ケースと前記集塵ケースの底面に取着された集塵ケース蓋とで塵埃を捕集するための集塵室を構成し、前記集塵室の下流側には、ハンドルを回動自在に保持すると共に細塵を捕集するフィルターを固定し前記集塵室を覆う蓋体を具備し、前記蓋体は、前記集塵ケースに設けた引掛け部と係合すると共に回動自在の爪体と、バネ体に付勢され移動可能に保持されると共に、移動時に前記爪体の回動を規制するストッパーとを具備し、前記ハンドルの回動時に前記バネ体の付勢力に抗して前記ストッパーを移動させるリブ体を前記ハンドルに構成したもので、ハンドルの回動によりストッパーが移動し、ストッパーが爪体に接触して、爪体の回動を規制するので、爪体は集塵ケースの引掛け部に引っ掛った状態より解除出来なくなる。そのため使用者が意図しない状態で蓋体と集塵ケースが外れ集塵室の塵埃が外に飛び出すことを防止でき、使用性の向上が図れる。
【０００７】
また、本発明の電気掃除機は、電動送風機を収納する電動送風機室を有した掃除機本体を具備し、請求項１〜３のいずれか１項に記載の集塵装置を前記掃除機本体に着脱自在に設けたもので、使用勝手の良い電気掃除機を提供することができる。
【発明の効果】
【０００８】
本発明の集塵装置は、集塵装置を持ち運ぶ際に使用者が意図しないところで集塵ケースと蓋体が外れることが無いので使用性が良く、また本発明の電気掃除機も使用勝手の良い
ものである。
【図面の簡単な説明】
【０００９】
【図１】本発明の実施の形態１における集塵装置を搭載した電気掃除機の正面図
【図２】図１の部分Ａ−Ａ断面図
【図３】同集塵装置の側面図
【図４】（ａ）図３の部分Ｂ−Ｂ断面図（ハンドルを収納した状態）、（ｂ）図４（ａ）のＣ−Ｃ断面図
【図５】（ａ）図３の部分Ｂ−Ｂ断面図（ハンドルを立てた状態）、（ｂ）図５（ａ）のＤ−Ｄ断面図
【発明を実施するための形態】
【００１０】
第１の発明は、集塵ケースと前記集塵ケースの底面に取着された集塵ケース蓋とで塵埃を捕集するための集塵室を構成し、前記集塵室の下流側には、ハンドルを回動自在に保持すると共に細塵を捕集するフィルターを固定し前記集塵室を覆う蓋体を具備し、前記蓋体は、前記集塵ケースに設けた引掛け部と係合すると共に回動自在の爪体と、バネ体に付勢され移動可能に保持されると共に、移動時に前記爪体の回動を規制するストッパーとを具備し、前記ハンドルの回動時に前記バネ体の付勢力に抗して前記ストッパーを移動させるリブ体を前記ハンドルに構成したもので、ハンドルの回動によりストッパーが移動し、ストッパーが爪体に接触して、爪体の回動を規制するので、爪体は集塵ケースの引掛け部に引っ掛った状態より解除出来なくなる。そのため使用者が意図しない状態で蓋体と集塵ケースが外れ集塵室の塵埃が外に飛び出すことを防止でき、使用性の向上が図れる。
【００１１】
第２の発明は、特に、第１の発明のハンドルを使用状態の位置まで回動させた状態でストッパーが動作し爪体に接触して、前記爪体の回動を規制するもので、使用者が持ち運ぶハンドルを使用状態とした際に、ストッパーにより爪体の回動が規制されるため、集塵装置を掃除機本体より取り外し単独で持ち運ばれ、集塵ケースと蓋体が外れる可能性のある使用状態で集塵ケースと蓋体とを固定できるため、より使用性の向上が図れる。
【００１２】
第３の発明は、特に、第１又は第２の発明のハンドルに、電気掃除機の掃除機本体に設けたハンドル係止部に係合する係止部を設けたもので、集塵装置と掃除機本体とを固定する固定部をハンドルにて行うことで、集塵装置を掃除機本体に装着する際はハンドルを収納状態、そして集塵装置を取り外す際はハンドルを倒立状態とする必要があり使用者が集塵装置を取り外す動作の中で同時に爪体の保持、固定ができる。また集塵装置が単独で持ち運ばれ集塵ケースと蓋体とが外れる可能性の最も高い状態で確実に保持、固定ができ、さらに使用性の向上が図れる。
【００１３】
第４の発明に係る電気掃除機は、電動送風機を収納する電動送風機室を有した掃除機本体を具備し、請求項１〜３のいずれか１項に記載の集塵装置を前記掃除機本体に着脱自在に設けたもので、使用勝手の良い電気掃除機を提供することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における集塵装置を搭載した電気掃除機の正面図、図２は、図１の部分Ａ−Ａ断面図、図３は、同集塵装置の側面図、図４（ａ）は、図３の部分Ｂ−Ｂ断面図（ハンドルを収納した状態）、図４（ｂ）は、図４（ａ）のＣ−Ｃ断面図、図５（ａ）は、図３の部分Ｂ−Ｂ断面図（ハンドルを立てた状態）、図５（ｂ）は、図５（ａ）のＤ−Ｄ断面図である。
【００１６】
図１において、１は、本実施の形態における集塵装置１２を搭載した電気掃除機の掃除機本体で、この掃除機本体１には、電動送風機２を収納し電動送風機２の排気を排出する排気口３と、電動送風機２の吸引側に電動送風機室側吸引通路４を具備した電動送風機室５を有している。
【００１７】
６は床ノズルであり、底面の塵埃を床面より吸引するための吸気通路７と、移動用の床ノズルローラー８を有している。床ノズル６は、掃除機本体１の回動軸９により回動自在に軸支されている。１０は、掃除機本体１に回動自在に保持された移動用のローラーである。掃除機本体１の上方には、使用者が掃除機本体１を操作するための本体ハンドル１１が構成されている。
【００１８】
本実施の形態における集塵装置１２は、掃除機本体１に着脱自在に保持されると共に塵埃を収集するもので、電動送風機２と連通する電動送風機室側吸引通路４と連通する下流側吸気口１３と、ホース１４を介して床ノズル６の吸気通路７と連通する本体吸気通路１５に連通する吸気口１６を有している。
【００１９】
図２、３において、集塵装置１２は、塵埃を収集する集塵ケース１７と、集塵ケース１７の底面に設けられ、集塵ケース１７の集塵ケース軸１８に回動自在に保持された集塵ケース蓋１９を有し、また集塵ケース１７の上面には、細塵を捕集するためのフィルター２０と、フィルター２０と集塵ケース１７を覆う蓋体２１を有している。
【００２０】
本実施の形態では、集塵ケース１７と集塵ケース蓋１９とで塵埃を捕集する集塵室を形成している。
【００２１】
２２は、蓋体２１の蓋体軸２３に回動自在に保持されたハンドルである。ハンドル２２は、係止部２４を具備し、また掃除機本体１にはハンドル２２の係止部２４が係止するハンドル係止部２５が設けられている。
【００２２】
次に図４において、２６は、集塵ケース１７に設けた引掛け部であり、２７は、蓋体２１の軸２８に回動自在に保持された爪体で、２９は、バネ体３０で付勢されたストッパーである。ストッパー２９は、上部に突起３１、下部に保持部３２を有している。次に３３は、ハンドル２２に設けたリブ体である。また３４は、爪体２７に設けた当接面である。
【００２３】
以上のように構成された本実施の形態における集塵装置と電気掃除機について、以下その動作、作用を説明する。
【００２４】
まず、図２のように、掃除機本体１と集塵装置１２との固定は、集塵装置１２のハンドル２２を収納状態とし、ハンドル２２に設けた係止部２４と掃除機本体１に設けたハンドル係止部２５が係合することにより固定される。逆に、集塵装置１２を取り外す際は、ハンドル２２を起こすようにして回動させ、持運ぶ状態の倒立状態とすることで、係合が外れ集塵装置１２を掃除機本体１より取り外すものである。
【００２５】
次に図４、５のように、図４は、ハンドル２２を収納状態、すなわち掃除機本体１に取り付けた状態である。図５は、ハンドル２２を倒立状態、すなわちハンドル２２を持運ぶ状態とし、集塵装置１２を掃除機本体１より取り外した状態である。
【００２６】
図４の状態では、爪体２７は回動が可能な状態であり、爪体２７を回動させて蓋体２１を集塵ケース１７より取り外せる状態である。次に、図５は、ハンドル２２を倒立状態とするため、蓋体軸２３を中心にハンドル２２を回動させると、ハンドル２２のリブ体３３
が、バネ体３０の付勢力に抗してストッパー２９の突起３１を押し下げる。これによりストッパー２９が下方に移動する。ストッパー２９が下方に移動することで、ストッパー２９の下部に設けた保持部３２と爪体２７の当接面３４が接触し、爪体２７の回動を規制、固定することで、爪体２７を集塵ケース１７の引掛け部２６から外れることが防止できるものである。
【００２７】
以上のように、本実施の形態によれば、ハンドル２２を使用して集塵装置１２を持運ぶ際には、爪体２７が引掛け部２６から外れないので、集塵装置１２を壁等にぶつけた際等の衝撃でも爪体２７が外れない使用性が向上した集塵装置１２を提供できる。
【００２８】
また、このような使用性の良い集塵装置１２を電気掃除機に搭載することで、やはり使用勝手の良い電気掃除機を提供することができる。
【産業上の利用可能性】
【００２９】
以上のように、本発明にかかる集塵装置は、汎用性の高い構成であり、家庭用、業務用の電気掃除機等の用途にも適用できる。
【符号の説明】
【００３０】
１  掃除機本体
１２  集塵装置
１７  集塵ケース
１９  集塵ケース蓋
２０  フィルター
２１  蓋体
２２  ハンドル
２４  係止部
２５  ハンドル係止部
２６  引掛け部
２７  爪体
２９  ストッパー
３０  バネ体
３１  突起
３２  保持部
３３  リブ体
３４  当接面
【図１】
2011250971.tif 000003
【図２】
2011250971.tif 000004
【図３】
2011250971.tif 000005
【図４】
2011250971.tif 000006
【図５】
2011250971.tif 000007